(57)【要約】【課題】正規の車両識別情報を確実に登録することにより、登録された車両識別情報の信頼性を高める。【解決手段】車両識別情報を管理する主記憶制御装置５と、主記憶制御装置５に通信ネットワークを介して通信可能に接続され、主記憶制御装置５から送信された車両識別情報を記憶する副記憶制御装置２と、通信ネットワークに接続されたときに車両識別情報を主記憶制御装置５に書き込む書込ツール６とを備える。主記憶制御装置５が交換されたとき、書込ツール６は、副記憶制御装置２から車両識別情報を取得し、取得した車両識別情報を主記憶制御装置５に書き込む。副記憶制御装置２が交換されたとき、書込ツール６は入力された車両識別情報が正規のものであることをチェックしてから主記憶制御装置５に書き込む。【選択図】図１
2020100245.tif 000002
【特許請求の範囲】
【請求項１】
車両識別情報を管理する主記憶制御装置と、主記憶制御装置に通信ネットワークを介して通信可能に接続され、主記憶制御装置から送信された車両識別情報を記憶する副記憶制御装置と、通信ネットワークに接続されたときに車両識別情報を主記憶制御装置に書き込む書込ツールとを備え、
主記憶制御装置が交換されたとき、書込ツールは、副記憶制御装置から車両識別情報を取得し、取得した車両識別情報を主記憶制御装置に書き込み、
取得した車両識別情報が正規のものでないとき、あるいは車両識別情報を取得できないとき、書込ツールは、入力された車両識別情報を照合して、主記憶制御装置に書き込むことを特徴とする車両識別情報の管理システム。
【発明の詳細な説明】
【技術分野】
【０００１】
本発明は、車両を特定する車両識別情報を管理する管理システムに関する。
【背景技術】
【０００２】
車両では、エンジン、ブレーキ、エアバッグ、カーナビゲーションなどの車両のシステムの制御を行う複数の制御装置（ＥＣＵ）が通信ネットワークに接続され、互いに情報を送受信している。それぞれのシステムにおいて、車両を特定するための車両識別情報であるＶＩＮ（Ｖｅｈｉｃｌｅ  Ｉｄｅｎｔｉｆｉｃａｔｉｏｎ  Ｎｕｍｂｅｒ）が用いられる。マスタ制御装置がＶＩＮを管理し、マスタ制御装置内の記憶装置にＶＩＮが記憶されている。
【０００３】
車両の故障などによって制御装置を交換すると、ＶＩＮが失われる。そこで、ＶＩＮを制御装置に再登録する必要がある。ここで、誤ったＶＩＮが登録されると、通信ネットワーク上を誤ったＶＩＮが流れ、正規のＶＩＮとは異なるので、故障診断などのサービス時に不具合が生じる。
【０００４】
交換後の制御装置に正規のＶＩＮを記憶させることができる技術が特許文献１に記載されている。外部スキャンツールからＶＩＮの送信要求があったとき、専用制御装置が他の制御装置に対してＶＩＮの送信を要求し、送信された複数のＶＩＮについて多数決して、外部スキャンツールに多数派のＶＩＮを送信する。また、多数派のＶＩＮと不一致のＶＩＮを送信してきた制御装置に対し、ＶＩＮの書換指示を行う。
【先行技術文献】
【特許文献】
【０００５】
【特許文献１】特開２００４−１４２５１１号公報
【発明の概要】
【発明が解決しようとする課題】
【０００６】
他の制御装置にＶＩＮの送信を要求しても、通信に障害が発生していると、各制御装置からＶＩＮを受信することができず、多数派のＶＩＮが正規のＶＩＮでないといったことが起こるおそれがある。そのため、登録されたＶＩＮが正規のものである信頼性に欠ける。そこで、本発明は、上記に鑑み、正規の車両識別情報を確実に登録することができる管理システムの提供を目的とする。
【課題を解決するための手段】
【０００７】
本発明の車両識別情報の管理システムは、車両識別情報を管理する主記憶制御装置と、主記憶制御装置に通信ネットワークを介して通信可能に接続され、主記憶制御装置から送信された車両識別情報を記憶する副記憶制御装置と、通信ネットワークに接続されたときに車両識別情報を主記憶制御装置に書き込む書込ツールとを備え、主記憶制御装置が交換されたとき、書込ツールは、副記憶制御装置から車両識別情報を取得し、取得した車両識別情報を主記憶制御装置に書き込み、取得した車両識別情報が正規のものでないとき、あるいは車両識別情報を取得できないとき、書込ツールは、入力された車両識別情報を照合して、主記憶制御装置に書き込む。
【０００８】
副記憶制御装置には、正規の車両識別情報が記憶されている。主記憶制御装置が交換されたとき、副記憶制御装置にある車両識別情報を利用して、交換された主記憶制御装置に車両識別情報が書き込まれる。副記憶制御装置が交換された場合、副記憶制御装置には正規の車両識別情報が記憶されていないので、副記憶制御装置から取得した車両識別情報は正規のものではない、あるいは取得できない。この場合、書込ツールから入力された車両識別情報が主記憶制御装置に書き込まれる。このとき、入力された車両識別情報が正規のものであるかが照合される。正規の車両識別情報であれば、主記憶制御装置に書き込まれる。
【発明の効果】
【０００９】
本発明によると、正規の車両識別情報であることが確認されてから車両識別情報が主記憶制御装置に書き込まれるので、正規の車両識別情報を確実に登録することができ、登録された車両識別情報の信頼性が高まる。
【図面の簡単な説明】
【００１０】
【図１】本発明の実施形態のＶＩＮの管理システムを備えた車両の制御システムの概略構成を示すブロック図
【図２】ＶＩＮ書換処理のフローチャート
【図３】主記憶制御装置および副記憶制御装置の交換に対する書換処理パターンのテーブル
【発明を実施するための形態】
【００１１】
本発明の実施形態に係る車両識別情報の管理システムを有する制御システムを図１に示す。車両は、エンジン、ボディ、メータ、トランスミッション、ブレーキ、カーナビゲーションなどのシステムの制御用に複数の制御装置（ＥＣＵ）１を備えている。これらの制御装置１は、情報、制御、安全などの機能に応じた系統に分けられ、系統ごとに通信ネットワークが形成される。これらの通信ネットワークには、ＣＡＮ（登録商標）が利用される。各通信ネットワークを一元管理するためにゲートウェイ装置（ＣＧＷ：Ｃｅｎｔｒａｌ  Ｇａｔｅｗａｙ）２が設けられ、各制御装置１が接続された複数の通信バス３がゲートウェイ装置２にそれぞれ接続されている。また、ゲートウェイ装置２に、外部ツールを接続するためのコネクタ４が通信バス３を介して接続されている。
【００１２】
ＣＡＮにおいて送受信されるフレームには、車両を特定するための車両識別情報であるＶＩＮが含まれている。ＶＩＮは、車台番号と同等であり、車両を特定するＩＤに相当する。そして、車両サービス、コネクトサービスなどに用いられるＩＤと同一であり、それぞれのシステムの車両情報引当のキーとなる。ＶＩＮを管理する管理システムは、ＶＩＮを記憶する主記憶制御装置５と、主記憶制御装置５から送信されたＶＩＮを記憶する副記憶制御装置２と、通信ネットワークに接続されたときにＶＩＮを主記憶制御装置５に書き込む書込ツール６とを備えている。ここでは、ゲートウェイ装置が副記憶制御装置２となる。なお、他の制御装置１を副記憶制御装置にしてもよい。
【００１３】
書込ツール６は、ＶＩＮの入力部および表示部、サーバ７と無線通信を行う通信部を備えている。書込ツール６として、例えば故障診断ツールが用いられる。書込ツール６がコネクタ４に接続されると、書込ツール６は通信バス３を介して制御装置１と通信可能とされる。サーバ７には、ＶＩＮに紐付けられた型式、色、所有者情報などの車両情報が車両毎に登録されている。
【００１４】
主記憶制御装置５は、書込ツール６から送信されたＶＩＮを記憶する記憶装置を有する。主記憶制御装置５は、通信バス３を介してＶＩＮを外部に送信する。図１の矢印ａで示すように、主記憶制御装置５は、通常処理として副記憶制御装置２に所定のタイミングでＶＩＮを送信する。副記憶制御装置２は、主記憶制御装置５からのフレームを定期的に受信し、フレームに含まれるＶＩＮを取得する。副記憶制御装置２にＶＩＮが登録されていない場合、取得したＶＩＮを記憶装置に記憶する。ＶＩＮがすでに記憶されている場合、上書きをしない。
【００１５】
主記憶制御装置５はシステム上のＶＩＮを管理しているが、故障などにより主記憶制御装置５が交換されると、システムからＶＩＮが失われる。このＶＩＮ喪失を回避するために副記憶制御装置２が設けられている。副記憶制御装置２に記憶されているＶＩＮを利用して、交換された主記憶制御装置５にＶＩＮを登録することができる。なお、交換される主記憶制御装置５は、新品か中古品のいずれかが用いられる。
【００１６】
管理システムにおけるＶＩＮの書換処理を図２，３に示す。書換処理は、主記憶制御装置５が交換された場合に実行される。また、副記憶制御装置２が交換された場合にも実行される。まず、主記憶制御装置２だけが交換される場合、パターンＡの自動書換処理が行われる。主記憶制御装置５が新品あるいは中古品に交換される。書込ツール６がコネクタ４に接続される。副記憶制御装置２は交換されていないので、副記憶制御装置２からＶＩＮを読み出すことは可能である。書込ツール６は、副記憶制御装置２にアクセスして、図１の矢印ｂのように、ＶＩＮを読み出し、メモリに保存する。書込ツール６において、読み出したＶＩＮが正規のものであるかをチェックする。ＶＩＮが表示部に表示され、サービスマンが目視でチェックする。例えば車両に記載されたＶＩＮ、あるいはＶＩＮに読み替えられる車台番号と比べてチェックする。読み出されたＶＩＮは正規のＶＩＮであることが確認されると、書込ツール６は、図１の矢印ｃのように、ＶＩＮを主記憶制御装置５に送信する。主記憶制御装置５は、受信したＶＩＮを記憶装置に記憶する。これにより、ＶＩＮの書換が行われる。
【００１７】
主記憶制御装置５が交換されるとともに、副記憶制御装置２が中古品に交換される場合、パターンＢの手動書換処理が行われる。主記憶制御装置５が新品あるいは中古品に交換されると、書込ツール６は、副記憶制御装置２からＶＩＮを読み出す。中古品の副記憶制御装置２には、他の車両のＶＩＮが登録されているので、ＶＩＮを読み出すことができる。書込ツール６において、読み出したＶＩＮが正規のものであるかをチェックする。このＶＩＮは正規のものではないことが確認されると、書込ツール６に正規のＶＩＮが入力される。サービスマンが入力部を通じてＶＩＮを入力する。ＶＩＮが入力されると、書込ツール６は、サーバ７に車両情報を問い合わせて、入力されたＶＩＮを照合する。ＶＩＮが正規のものと不一致の場合、書込ツール６は、ＶＩＮの再入力を促す。入力されたＶＩＮが正規のものと一致していることが確認されると、書込ツール６は、入力されたＶＩＮを主記憶制御装置５に送信する。主記憶制御装置５は、受信したＶＩＮを記憶装置に記憶して、ＶＩＮの書換を行う。
【００１８】
副記憶制御装置２には、他のＶＩＮが登録されているので、書込ツール６でＶＩＮの初期化を行う。書換後、主記憶制御装置５は、副記憶制御装置２に所定のタイミングでＶＩＮを含むフレームを送信する。副記憶制御装置２は、フレームに含まれるＶＩＮを記憶装置に記憶する。正規のＶＩＮが副記憶制御装置２に自動登録される。
【００１９】
主記憶制御装置５が交換されるとともに、副記憶制御装置２が新品に交換される場合、パターンＣの手動書換処理が行われる。主記憶制御装置５が新品あるいは中古品に交換されると、書込ツール６は、副記憶制御装置２からＶＩＮを読み出す。新品の副記憶制御装置２には、ＶＩＮが登録されていないので、ＶＩＮを読み出すことができない。書込ツール６は、ＶＩＮを入力することを報知する。サービスマンが入力部を通じてＶＩＮを入力すると、書込ツール６は、サーバ７に車両情報を問い合わせて、入力されたＶＩＮを照合する。ＶＩＮが正規のものと不一致の場合、書込ツール６は、ＶＩＮの再入力を促す。入力されたＶＩＮが正規のものと一致していることが確認されると、書込ツール６は、入力されたＶＩＮを主記憶制御装置５に送信する。主記憶制御装置５は、受信したＶＩＮを記憶装置に記憶して、ＶＩＮの書換を行う。主記憶制御装置５は、書換後、副記憶制御装置２に所定のタイミングでＶＩＮを送信する。副記憶制御装置２は、主記憶制御装置５からのフレームを受信し、フレームに含まれるＶＩＮを記憶装置に記憶する。正規のＶＩＮが副記憶制御装置２に自動登録される。
【００２０】
副記憶制御装置２だけが中古品に交換される場合、パターンＤの書換処理が行われる。この場合、主記憶制御装置５は交換されないので、正規のＶＩＮがシステムにおいて保持されている。副記憶制御装置２には、他のＶＩＮが登録されているので、書込ツール６でＶＩＮの初期化を行う。主記憶制御装置５は、副記憶制御装置２に所定のタイミングでＶＩＮを含むフレームを送信する。副記憶制御装置２は、主記憶制御装置５から送信されたフレームを受信すると、フレームから取得したＶＩＮを記憶装置に記憶する。正規のＶＩＮが副記憶制御装置２に自動登録される。
【００２１】
副記憶制御装置２だけが新品に交換される場合、通常処理が行われる。主記憶制御装置５は、副記憶制御装置２に所定のタイミングでＶＩＮを送信する。副記憶制御装置２は、主記憶制御装置５からのフレームを受信し、フレームに含まれるＶＩＮを記憶装置に記憶する。正規のＶＩＮが副記憶制御装置２に自動登録される。
【００２２】
なお、本発明は、上記実施形態に限定されるものではなく、本発明の範囲内で上記実施形態に多くの修正および変更を加え得ることは勿論である。書換処理におけるＶＩＮのチェックを目視の代わりに、書込ツール６が自動的に行ってもよい。書込ツール６は、サーバ７に対象車両のＶＩＮを問い合わせ、サーバ７から送られてきた車両情報と読み出したＶＩＮを照合する。また、入力するＶＩＮをサーバ７から取得してもよい。書込ツール６は、車両情報に基づいてサーバにＶＩＮを要求し、正規のＶＩＮを取得する。これにより、手動で入力する手間が省ける。
【符号の説明】
【００２３】
１    制御装置
２    副記憶制御装置
３    通信バス
４    コネクタ
５    主記憶制御装置
６    書込ツール
７    サーバ
【図１】
2020100245.tif 000003
【図２】
2020100245.tif 000004
【図３】
2020100245.tif 000005